(57)【要約】【課題】読取対象物に複数色の光を照射してカラー画像を読み取る画像読取装置において、光源及び受光ユニットが正常に動作しているか否かを短時間で判断できるようにする。【解決手段】Ｒ，Ｇ，Ｂの３色の光源を備え、各光源から読取対象物に順に光を照射し、反射光をＣＨ１〜ＣＨ１２の複数の受光ユニットにて受光することにより、カラー画像を読み取る画像読取装置において、読取ヘッドの検査時には、各色の光源を順に点灯させて各光源毎に設定された読取範囲内の受光ユニットから画像データを取り込み、画像データが正常に取り込まれているか否かを判断する。検査に使用するデータ量を少なくして検査時間を短縮する。【選択図】図７
2008124997.tif 000002
【特許請求の範囲】
【請求項１】
読取対象物に複数色の光を照射する発光手段と、
読取対象物からの反射光を受光する複数の受光ユニットと、
取込条件に従い、前記発光手段が照射する光の色毎に、前記各受光ユニットから出力信号を取り込み、当該出力信号に基づき発光手段及び受光ユニットが正常であるか否かを判断する判断手段と、
を備え、前記取込条件は、少なくとも何れか一つの受光ユニットからの出力信号については、照射されている光の色によって取り込むときと取り込まないときがあり、前記各受光ユニットからの出力信号については、少なくとも何れか一つの色の光が照射されている際に取り込み、かつ、照射されている光の色毎に、何れかの受光ユニットから出力信号を取り込むように設定されていることを特徴とする画像読取装置。
【請求項２】
前記取込条件は、全ての受光ユニットからの出力信号に対し、前記発光手段が照射する光の色によって取り込むときと取り込まないときがあるように設定されていることを特徴とする請求項１に記載の画像読取装置。
【請求項３】
前記取込条件は、少なくとも何れか一つの受光ユニットからの出力信号については、前記発光手段が照射する一色の光に対してだけ取り込みを行い、他の色の光では取り込まないように設定されていることを特徴とする請求項１又は請求項２に記載の画像読取装置。
【請求項４】
前記取込条件は、少なくとも何れか一つの受光ユニットからの出力信号については、前記発光手段が照射する複数色の光で取り込むように設定されていることを特徴とする請求項１〜３の何れかに記載の画像読取装置。
【請求項５】
前記取込条件は、前記各受光ユニットからは、前記発光手段が照射する一色の光に対し一回だけ出力信号を取り込み、異なる色の光で同一の受光ユニットから出力信号を取り込まないように設定されていることを特徴とする請求項１〜請求項３の何れかに記載の画像読取装置。
【請求項６】
前記判断手段は、前記取込条件に従い取り込んだ出力信号に異常があった場合、その異常のあった受光ユニットからの出力信号を、他の色の光を前記発光手段が照射したときに取り込み、当該出力信号から受光ユニットの異常か発光手段の異常かを特定することを特徴とする請求項５に記載の画像読取装置。
【請求項７】
前記取込条件は、前記発光手段が予め設定された一色の光を照射したときに全ての受光ユニットから出力信号を取り込み、その後、発光手段が他の色の光を照射したときに、先に取り込んだ出力信号が正常な受光ユニットの一つから出力信号を取り込むように設定されていることを特徴とする請求項１〜請求項４の何れかに記載の画像読取装置。
【請求項８】
請求項１〜請求項７の何れかに記載の画像読取装置と、
前記画像読取装置によって読み取った画像をファクシミリ送信する送信機と、
を備えたことを特徴とするファクシミリ装置。
【請求項９】
請求項１〜請求項７の何れかに記載の画像読取装置と、
該画像読取装置にて生成された画像データに基づき画像を形成する画像形成装置と、
を備えたことを特徴とする複写装置。
【発明の詳細な説明】
【技術分野】
【０００１】
本発明は、読取対象物に複数色の光を照射し、その反射光を受光することによりカラー画像を読み取る画像読取装置、及び、この画像読取装置を備えたファクシミリ装置並びに複写装置に関する。
【背景技術】
【０００２】
従来、光源から読取対象物である原稿に光を照射し、その反射光を複数の受光ユニットにて受光することにより、原稿から画像を読み取る画像読取装置が知られている。
また、この種の画像読取装置では、光源から検査用の対象物に光を照射して各受光ユニットから出力信号を取り込み、その出力信号を解析することにより、光源及び受光ユニットが正常に動作しているか否かを判断することが提案されている（例えば、特許文献１等参照）。
【特許文献１】特開２００５−１３６６４０号公報
【発明の開示】
【発明が解決しようとする課題】
【０００３】
ところで、画像読取装置には、読取対象物に対して、Ｒ（赤）、Ｇ（緑）、Ｂ（青）、といった複数色の光を順次照射し、各色の光を照射する度に各受光ユニットから出力信号を取り込むことで、カラー画像を読み取るものがある。
【０００４】
そして、この種の画像読取装置において、上記提案の技術を利用して、光源及び受光ユニットが正常動作しているか否かを判断する際には、光源から照射する光の色毎に、各受光ユニットから出力信号を取り込むことになる。
【０００５】
しかし、このようにすると、１色の光で画像を読み取る装置に比べて、各受光ユニットから取り込むデータ量が、画像の読み取りに用いる光の色の数に比例して増加するので、その判断を行う際の処理負荷が増加し、その判断に要する時間が長くなる、という問題があった。
【０００６】
本発明は、こうした問題に鑑みなされたものであり、光源から読取対象物に複数色の光を照射してカラー画像を読み取る画像読取装置において、画像読取用の光源及び受光ユニットが正常に動作しているか否かを短時間で判断できるようにすることを目的とする。
【課題を解決するための手段】
【０００７】
かかる目的を達成するためになされた請求項１に記載の画像読取装置は、読取対象物に複数色の光を照射する発光手段と、読取対象物からの反射光を受光する複数の受光ユニットと、取込条件に従い、発光手段が照射する光の色毎に各受光ユニットから出力信号を取り込み、当該出力信号に基づき発光手段及び受光ユニットが正常であるか否かを判断する判断手段とを備える。
【０００８】
そして、判断手段は、発光手段が照射する光の色毎に各受光ユニットからの出力信号を全て取り込むのではなく、取込条件に従い、少なくとも何れか一つの受光ユニットからの出力信号については、発光手段が照射する光の色に応じて取り込むか否かを切り換える。このため、判断手段が判断に用いる出力信号の数が減り、判断手段の処理負荷を軽減することができる。
【０００９】
また、判断手段は、取込条件に従い、各受光ユニットからの出力信号については、少なくとも何れか一つの色の光が照射されている際に取り込み、また、照射されている光の色毎に、何れかの受光ユニットから出力信号を取り込む。
【００１０】
このため、判断手段が、発光手段及び受光ユニットが正常か否かを判断する際、特定の受光ユニットからの出力信号が取り込まれず、その受光ユニットが正常か否かを判定できなくなるのを防止できる。また、同様に、特定の色の光を照射した際に何れの受光ユニットからも出力信号が取り込まれず、発光手段からその色の光が正常に照射されたか否かを判断できなくなるのを防止できる。
【００１１】
よって、請求項１に記載の画像読取装置によれば、判断手段の処理負荷を軽減しつつ、発光手段及び受光ユニットによりカラー画像を正常に読み取ることができるか否かを正確に判断することができるようになり、その判断を短時間で行うことが可能となる。
【００１２】
ここで、請求項１に記載の画像読取装置において、取込条件は、請求項２に記載のように、全ての受光ユニットからの出力信号に対し、発光手段が照射する光の色によって取り込むときと取り込まないときがあるように設定してもよい。
【００１３】
取込条件をこのように設定すれば、判断手段は、何れの受光ユニットからも、発光手段が照射する全ての色で出力信号を取り込むことはないので、判断手段が判断に用いる出力信号の数をより確実に減らし、判断手段の処理負荷を軽減できる。
【００１４】
また、請求項１又は請求項２に記載の画像読取装置において、取込条件は、請求項３に記載のように、少なくとも何れか一つの受光ユニットからの出力信号については、発光手段が照射する一色の光に対してだけ取り込みを行い、他の色の光では取り込まないように設定してもよい。
【００１５】
取込条件をこのように設定すれば、判断手段は、少なくとも何れか一つの受光ユニットからは、発光手段から読取対象物に特定の一色の光が照射されたときにだけ、出力信号を取り込むことになるので、判断手段が判断に用いる出力信号の数をより確実に減らし、判断手段の処理負荷を軽減できる。
【００１６】
また、請求項１〜請求項３の何れかに記載の画像読取装置において、取込条件は、請求項４に記載のように、少なくとも何れか一つの受光ユニットからの出力信号を、発光手段が照射する複数色の光で取り込むように設定してもよい。
【００１７】
取込条件をこのように設定すれば、判断手段は、一つの受光ユニットから複数色の光で取り込んだ出力信号が全て異常であるか、或いは、特定の色の光で取り込んだ出力信号だけが異常であるかを判断することにより、異常原因が受光ユニットであるか発光手段であるかを特定できるようになる。
【００１８】
また、請求項１〜請求項３の何れかに記載の画像読取装置において、取込条件は、請求項５に記載のように、各受光ユニットからは、発光手段が照射する一色の光に対し一回だけ出力信号を取り込み、異なる色の光で同一の受光ユニットから出力信号を取り込まないように設定してもよい。
【００１９】
取込条件をこのように設定すれば、判断手段は、各受光ユニットからの出力信号を一回だけ取り込むことになるので、判断手段が判断に用いる出力信号の数が最も少なくなり、判断手段の処理負荷を最も軽減できる。
【００２０】
そして、この場合、例えば、各色毎に複数の受光ユニットから出力信号を取り込むように取込条件を設定すれば、各色毎に、複数の受光ユニットから取り込んだ出力信号の全てに異常があるか、或いは、その出力信号の一部に異常があるかを判断することによって、異常原因が発光手段にあるのか受光ユニットにあるのかを推定することが可能となる。
【００２１】
また、取込条件を請求項５に記載のように設定した場合、判断手段は、請求項６に記載のように、取込条件に従い取り込んだ出力信号に異常があった場合に、その異常のあった受光ユニットからの出力信号を、発光手段が他の色の光を照射したときにも取り込み、その出力信号から受光ユニットの異常か発光手段の異常かを特定するように構成してもよい。
【００２２】
判断手段をこのように構成すれば、受光ユニットから取り込んだ出力信号に異常があった場合に、その異常原因を特定でき、受光ユニットから取り込んだ出力信号が正常であれば、その受光ユニットからの出力信号の取り込みを一回に制限することができる。
【００２３】
従って、この請求項６に記載の画像読取装置によれば、判断手段にて各受光ユニットから取り込む出力信号の数を必要最小限に抑えつつ、異常原因を特定することができるようになる。
【００２４】
一方、請求項１〜請求項４の何れかに記載の画像読取装置において、取込条件は、請求項７に記載のように、発光手段が予め設定された一色の光を照射したときに全ての受光ユニットから出力信号を取り込み、その後、発光手段が他の色の光を照射したときに、先に取り込んだ出力信号が正常な受光ユニットの一つから出力信号を取り込むように設定してもよい。
【００２５】
取込条件をこのように設定すれば、判断手段は、発光手段が特定の一色の光を照射した際に、全ての受光ユニットから出力信号を取り込むことによって、各受光ユニットが正常か否かを判定でき、その後、発光手段が他の色の光を照射した際に、一つの受光ユニットから出力信号を取り込むことによって、発光手段が正常か否かを判定できる。
【００２６】
そして、この場合、この判定の際に取り込む出力信号の数は、全受光ユニットの個数に、発光手段が照射する光の色数から１を減じた値、を加えた数になるため、判断手段の処理負荷を抑えつつ、受光ユニット及び発光手段の異常を判断することができるようになる。
【００２７】
次に、請求項８に記載の発明は、ファクシミリ装置に関するものであり、請求項１〜請求項７の何れかに記載の画像読取装置と、この画像読取装置によって読み取った画像をファクシミリ送信する送信機とを備える。従って、このファクシミリ装置によれば、請求項１〜請求項７の画像読取装置と同様の効果を有するファクシミリ装置を提供することができる。
【００２８】
また、このファクシミリ装置では、例えば、ファクシミリ送信時に、画像読取装置の判断手段に発光手段及び受光ユニットが正常か否かを判定させ、異常判定時には、画像読取装置による画像の読み取り（延いては、送信機からの画像送信）を中止するように構成すれば、不鮮明な画像がファクシミリ送信されるのを未然に防止することができる。
【００２９】
また次に、請求項９に記載の発明は、複写装置に関するものであり、請求項１〜請求項７の何れかに記載の画像読取装置と、この画像読取装置にて生成された画像データに基づき画像を形成する画像形成装置とを備える。従って、この複写装置によれば、請求項１〜請求項７の画像読取装置と同様の効果を有する複写装置を提供することができる。
【発明を実施するための最良の形態】
【００３０】
以下に本発明の実施形態について説明する。
［第１実施形態］
＜複合機全体の構成＞
図１は、イメージスキャナ／プリンタ／コピー／ファクシミリとしての機能を備えた複合機１全体の構成を表す斜視図である。
【００３１】
図１に示すように、複合機１は、下側本体１ａに対して上側本体１ｂを開閉可能に取り付けてなるクラムシェル型の開閉構造を備えており、下側本体１ａに画像形成装置３（本実施形態ではレーザープリンタ）が組み込まれ、上側本体１ｂに画像読取装置５が組み込まれた構造になっている。また、上側本体１ｂの正面側には、操作パネル７が設けられている。
【００３２】
画像読取装置５は、原稿を載置した状態で画像を読み取るためのフラットベッド機構（以下、ＦＢともいう）と、原稿を画像読取位置に搬送しつつ画像を読み取るための自動給紙機構（Ａｕｔｏｍａｔｉｃ  Ｄｏｃｕｍｅｎｔ  Ｆｅｅｄｅｒ：以下、ＡＤＦともいう）との両方を備えるタイプのものである。この画像読取装置５自体も、フラットベッド部５ａに対してカバー部５ｂを開閉可能に取り付けてなるクラムシェル型の開閉構造を備えている。
【００３３】
この画像読取装置５において、フラットベッド部５ａには、図２に示すように、読取ヘッド１１、第１プラテンガラス１３、第２プラテンガラス１５、白板１７などが配設され、カバー部５ｂには、原稿供給トレイ２１、原稿搬送装置２３、原稿排出トレイ２５などが設けられている。
【００３４】
読取ヘッド１１は、所謂ＣＩＳ（Ｃｏｎｔａｃｔ  Ｉｍａｇｅ  Ｓｅｎｓｅｒ）方式のものであり、複数の受光ユニット（本実施形態ではラインセンサ）からなるイメージセンサ３１、レンズからなる光学素子３３、及び、発光手段としての光源３５を備える。
【００３５】
つまり、読取ヘッド１１は、読取対象位置に存在する原稿に対して光源３５から光を照射し、原稿からの反射光をレンズからなる光学素子３３を介して直接イメージセンサ３１にて受光することで、イメージセンサ３１にて主走査方向一ライン分の画像を読み取るように構成されている。
【００３６】
また、読取ヘッド１１は、図３に示すように、一端に軸受３７を有し、他端にコロ３９を有している。そして、フラットベッド部５ａ内において第１プラテンガラス１３、第２プラテンガラス１５、および白板１７に対して平行に配設されているガイドバー４１を軸受３７に通すとともに、コロ３９をガイド面４３の上に搭載することにより、ガイドバー４１とガイド面４３との間に架設され、ガイドバー４１に沿って副走査方向に往復移動するように構成されている。
【００３７】
コロ３９は、図２に示したように、上端側の一部が読取ヘッド１１の上方へ突出する状態になっている。また、コロ３９との間に隙間を有するようにガイド部４５が形成されている。このような構造とすることにより、複合機１の移送時に発生する振動等によってガイドバー４１を中心に読取ヘッド１１を回動させるような力が読取ヘッド１１に作用した場合には、コロ３９がまずガイド部４５に当接する。これにより、読取ヘッド１１の回動が規制されるので、読取ヘッド１１本体と、第１プラテンガラス１３、第２プラテンガラス１５、および白板１７との衝突が防止される。
【００３８】
第１プラテンガラス１３は、ＦＢ側において原稿から画像を読み取る場合に利用されるものである。ＦＢを利用して原稿から画像を読み取る際には、利用者が、第１プラテンガラス１３の上に原稿を載置し、カバー部５ｂにて原稿を第１プラテンガラス１３に押し当て、その状態で操作パネル７において所定の操作を行う（例えば読取開始ボタンを押す）。これにより、画像読取装置５は、読取ヘッド移送用のステップモータ２７（図４参照）を駆動して、読取ヘッド１１を、ガイドバー４１、延いては第１プラテンガラス１３に沿って副走査方向に移動させながら、原稿から画像を読み取る。
【００３９】
第２プラテンガラス１５は、ＡＤＦ側において原稿から画像を読み取る場合に利用されるものである。ＡＤＦを利用して原稿から画像を読み取る際には、利用者が、原稿供給トレイ２１上に原稿をセットし、その状態で操作パネル７において所定の操作を行う（例えば読取開始ボタンを押す。）。これにより、画像読取装置５は、原稿搬送装置２３を作動させて原稿を原稿供給トレイ２１から原稿排出トレイ２５へと搬送し、読取ヘッド１１を第２プラテンガラス１５の下方で静止させたまま、第２プラテンガラス１５の上を副走査方向に通過する原稿から画像を読み取る。
【００４０】
白板１７は、白色の均一な濃度分布を持つ部材であり、この白板１７から画像を読み取って、その実測データを理想データに変換する際に必要となる白レベル補正データが取得される。以後は、この白レベル補正データを利用して、白レベル補正処理（シェーディング補正処理）が行われる。
【００４１】
なお、複合機１の下側本体１ａに組み込まれた画像形成装置３は、図１に示すように、複合機１の背面側にある給紙トレイ５１からシート状記録媒体（例えば、紙）を取り込んで、その記録媒体の記録面上に画像を形成し、画像が記録された記録媒体を、複合機１の正面側にある排紙口５３から排出する構造になっている。排紙口５３の下方には、引き出し式の排紙トレイ５５が格納されており、必要に応じて排紙トレイ５５を引き出して、排紙口５３から排出される記録紙を受けることができる。
【００４２】
また、操作パネル７には、数値を入力するためのテンキー、十字方向に方向を選択するためのカーソルキー、各種指令を入力するためのボタンやスイッチ、メニュー画像やエラーメッセージを表示するための液晶パネル等が備えられている。このため、使用者は、これらのボタンやスイッチを用いて動作態様などを指定することができ、また液晶パネルに表示されるメニュー画面から各種メニュー項目を選択することで動作態様などを設定したり、他のメニュー画面を表示させたりすることができる。
＜制御系全体の構成＞
図４に示すように、複合機１には、複合機全体の動作を制御するために、ＣＰＵ６１、ＲＯＭ６２、ＲＡＭ６３等からなるマイクロコンピュータを中心に構成された制御装置６０が設けられている。
【００４３】
また、制御装置６０には、これら各部とバスを介して接続されたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）６４やモデム６５が設けられている。
【００４４】
ＡＳＩＣ６４には、画像形成装置３、画像読取装置５（詳しくは上述した原稿搬送装置２３、読取ヘッド１１、ステップモータ２７）、パネルインターフェイス６６、パラレルインターフェイス６７、ＵＳＢインターフェイス６８、ネットワーク制御装置（ＮＣＵ）６９が接続されている。
【００４５】
なお、パネルインターフェイス６６は操作パネル７との間で信号を入出力するためのものであり、パラレルインターフェイス６７は、外部のパーソナルコンピュータ（ＰＣ）等と画像情報の入出力を行うためのものである。また、ＵＳＢインターフェイス６８は、ＰＣやデジタルカメラ等の外部装置と画像情報の入出力を行うためのものであり、ＮＣＵ６９は、外部のファクシミリ装置と一般公衆回線を介して情報を伝達するためのものである。このＮＣＵ６９は、モデム６５と共に、請求項８に記載の送信機として機能する。
【００４６】
そして、ＡＳＩＣ６４は、ＣＰＵ６１の動作によって内部のレジスタに設定される各種制御パラメータに従い、画像形成装置３、画像読取装置５、ＮＣＵ６９を制御することで、複合機１を、プリンタ、イメージスキャナ、コピー機（複写装置）、ファクシミリ装置として機能させる。
【００４７】
また、ＡＳＩＣ６４は、上記各インターフェイス６６〜６８からの入力データをＣＰＵ６１に出力し、ＣＰＵ６１からの入力データを上記各インターフェイス６６〜６８を介して操作パネル７や外部装置に出力する中継装置としても機能する。
＜イメージセンサの構成＞
次に本発明にかかわる主要部であるイメージセンサ３１について説明する。
【００４８】
図５に示すように、イメージセンサ３１は、ＣＨ１からＣＨ１２（ＣＨはチャンネルを表す）の１２個の受光ユニット３２にて構成されている。各受光ユニット３２は、多数の光電変換素子を一列に並べたラインセンサにて構成されており、画像読取装置５における主走査方向一ライン分の全読取領域を１２分割した各領域毎に配置されている。
【００４９】
そして、各受光ユニット３２は、ＡＳＩＣ６４から読取開始指令が入力されると、各画素を構成している光電変換素子からの受光信号をラッチし、その後、画素クロック信号に同期して、一端側の画素から順に受光信号を出力する。
【００５０】
このため、各受光ユニット３２からは、受光信号を順に出力するための出力信号線やＡＳＩＣ６４からの制御信号を入力するための入力信号線が引き出されるが、これら各受光ユニット３２の信号線は、フレキシブルフラットケーブル（以下、ＦＦＣという）により一つに束ねられて、ＡＳＩＣ６４が実装された回路基板に接続される。
【００５１】
また、この回路基板には、各受光ユニット３２からの出力信号（各画素毎の受光信号）を一旦ラッチし、そのラッチした出力信号を順次Ａ／Ｄ変換してＡＳＩＣ６４に時分割で入力するアナログフロントエンド（ＡＦＥ）が設けられている。そして、ＡＳＩＣ６４は、このＡＦＥを介して順次入力される画素データから、主走査方向一ライン分の画像データを生成する。
【００５２】
また、読取ヘッド１１には、原稿からカラー画像を読み取るために、光源３５として、赤（Ｒ）、緑（Ｇ）、青（Ｂ）の３色の光源３５が設けられている。そして、ＡＳＩＣ６４は、原稿からカラー画像を読み取る際には、これら各光源３５を順に発光させて各色毎に主走査方向一ライン分の画像データを生成し、原稿からモノクロ画像を読み取る際には、緑（Ｇ）の光源３５を発光させて画像データを生成する。
＜読取ヘッドによる画像読取判定動作＞
次に図６は、読取ヘッド１１を介してカラー画像を正常に読み取ることができるか否かを判断するために、ＣＰＵ６１において実行される読取判定処理を表すフローチャートである。
【００５３】
この読取判定処理は、操作パネル７を介して使用者からファクシミリ送信の開始指令が入力されて、読取ヘッド１１によるカラー画像の読み取りを開始する前に、ＣＰＵ６１にて実行される処理であり、ＣＰＵ６１は、この読取判定処理を実行することにより、本発明の判断手段としての機能を実現する。なお、この処理を実行するに当たって、読取ヘッド１１は、白板１７から画像を読み取り可能な位置に移動されるものとする。
【００５４】
図６に示すように、読取判定処理が開始されると、まずＳ１１０（Ｓはステップを表す）にて、上記３色の光源３５のうちの一つ（例えば赤（Ｒ）の光源３５）を選択して点灯する。
【００５５】
そして、続くＳ１２０では、ＡＳＩＣ６４を介して、Ｓ１１０で点灯した光源３５に対して設定されている読取範囲内の画素から、画素データを取得し、これを現在点灯中の光源３５に対する白レベルデータとして記憶する。
【００５６】
ここで、画像データの読取範囲は、イメージセンサ３１による画像一ライン分の全読取領域を、各受光ユニット３２の読取領域を最小単位として３つに分割し、その分割した領域を、光源３５の各色毎に割り当てることにより設定される。
【００５７】
そして、本実施形態では、図７（ａ）に例示するように、赤（Ｒ）の光源３５を点灯させたときの読取範囲として、ＣＨ１〜ＣＨ４の受光ユニット３２による読取領域が設定され、緑（Ｇ）の光源３５を点灯させたときの読取範囲として、ＣＨ５〜ＣＨ８の受光ユニット３２による読取領域が設定され、青（Ｂ）の光源３５を点灯させたときの読取範囲として、ＣＨ９〜ＣＨ１２の受光ユニット３２による読取領域が設定されている。
【００５８】
Ｓ１２０にて、点灯中の光源３５に対応した読取範囲内の各画素から画素データ（白レベルデータ）を読み取ると、今度は、Ｓ１３０にて、Ｓ１２０による白レベルデータの読み取りを、予め設定されたｎ回行ったか否かを判断する。
【００５９】
そして、Ｓ１２０による白レベルデータの読み取りをｎ回行っていなければ（Ｓ１３０：Ｎｏ）、再度Ｓ１２０に移行して、白レベルデータの読み取りを再度行う。また、Ｓ１２０による白レベルデータの読み取りをｎ回行っていれば（Ｓ１３０：Ｙｅｓ）、Ｓ１４０に移行して、上記読取範囲内の画素毎に、Ｓ１２０でｎ回読み込んだ白レベルデータの平均値（白レベル平均値）を算出し、Ｓ１５０に移行する。
【００６０】
次に、Ｓ１５０では、現在点灯中の光源３５を消灯し、続くＳ１６０にて、Ｓ１２０にて今回白レベルデータを読み取ったときと同じ読取範囲内の画素から画素データを取得し、これを黒レベルデータとして記憶する。
【００６１】
そして続くＳ１７０では、Ｓ１５０による黒レベルデータの読み取りを、予め設定されたｍ回行ったか否かを判断し、黒レベルデータの読み取りをｍ回行っていなければ（Ｓ１７０：Ｎｏ）、再度Ｓ１６０に移行して、黒レベルデータの読み取りを再度行う。
【００６２】
また、Ｓ１６０による黒レベルデータの読み取りをｍ回行っていれば（Ｓ１７０：Ｙｅｓ）、Ｓ１８０に移行して、上記読取範囲内の画素毎に、Ｓ１６０でｍ回読み込んだ黒レベルデータの平均値（黒レベル平均値）を算出し、Ｓ１９０に移行する。
【００６３】
そして、Ｓ１９０では、上記読取範囲内の画素毎に、Ｓ１４０で算出した白レベル平均値とＳ１８０で算出した黒レベル平均値との差を算出し、その算出した差が予め設定されたしきい値以下となる画素（以下、ＮＧ画素）を抽出する。
【００６４】
つまり、受光ユニット３２を構成している各画素から正常に画像データを取得できている場合には、白レベル平均値と黒レベル平均値との差は大きくなり、各画素から正常に画像データを取得できていなければ、白レベル平均値と黒レベル平均値とに差は殆ど生じない。そこで、Ｓ１９０では、そのレベル差を算出して、その差がしきい値以下となる異常な画素をＮＧ画素として抽出するのである。
【００６５】
次に、Ｓ２００では、上記読取範囲内でＮＧ画素が連続し、しかも、その連続画素数が最大となる領域の画素数（最大画素数）を算出する。そして、Ｓ２１０では、Ｓ２００で算出した最大画素数が、受光ユニット３２の１個分の画素数以上であるか否かを判断する。
【００６６】
つまり、ＮＧ画素が連続する領域が受光ユニット３２の１個分の画素数よりも少ない場合には、原稿から受光ユニット３２に至る光路にゴミ等の異物があるだけで、Ｓ１１０にて点灯させた光源３５及びイメージセンサ３１（詳しくは読取範囲内の受光ユニット３２）は正常に動作していると考えられる。そこで、Ｓ２１０では、ＮＧ画素が最も多く連続する領域の画素数（最大画素数）が受光ユニット３２の１個分の画素数以上であるか否かを判断することにより、読取ヘッド１１による画像読み取りは可能であるか否かを判断するようにされている。
【００６７】
そして、Ｓ２１０にて、最大画素数が受光ユニット３２の１個分の画素数以上であると判断されると（Ｓ２１０：Ｙｅｓ）、読取ヘッド１１で正常な画像読取を行うことができないことから、Ｓ２２０に移行し、使用者にその旨を通知する。
【００６８】
なお、Ｓ２２０でのエラー通知は、例えば、エラーメッセージを操作パネル７に設けられた液晶パネルに表示し、スピーカ（図示せず）から所定のエラー通知音を発生させる、といった手順で実行される。また、Ｓ２２０でのエラー通知後は、原稿から画像を読み取ってファクシミリ送信を行うファクシミリ送信処理を実行することなく、当該読取判定処理をそのまま終了する。
【００６９】
一方、Ｓ２１０にて、最大画素数が受光ユニット３２の１個分の画素数以上ではなく、読取範囲内の受光ユニット３２は正常に動作していると判断されると（Ｓ２１０：Ｎｏ）、Ｓ２３０に移行して、上述したＳ１２０〜Ｓ１４０の処理は、３色の光源３５の全てに対して行ったか否かを判断する。
【００７０】
そして、Ｓ１２０〜Ｓ１４０の処理を全ての光源３５に対して行っていなければ（Ｓ２３０：Ｎｏ）、Ｓ１１０に移行して、まだ点灯していない緑（Ｇ）又は青（Ｂ）の光源３５を選択して点灯した後、Ｓ１２０〜Ｓ２１０の一連の処理を再度実行する。なお、この場合、Ｓ１５０〜Ｓ１８０は省略して、赤（Ｒ）の光源確認時に算出した黒レベル平均値を使用しても良い。
【００７１】
また、Ｓ２３０にて、上述したＳ１２０〜Ｓ１４０の処理を全ての光源３５に対して行ったと判断された場合には（Ｓ２３０：Ｙｅｓ）、イメージセンサ３１を構成している受光ユニット３２や各色の光源３５は全て正常に動作しており、読取ヘッド１１による画像読み取りは正常に行うことができることから、Ｓ２４０に移行し、ファクシミリ送信用の画像読取処理を開始し、当該読取判定処理を終了する。
＜実施形態の効果＞
以上説明したように、本実施形態の画像読取装置５においては、イメージセンサ３１が、複数の受光ユニット３２にて構成されており、ファクシミリ送信時に原稿からカラー画像を読み取る際には、ＣＰＵ６１の読取判定処理によって、読取ヘッド１１にて正常にカラー画像を読み取ることができるか否かが自動で判定される。
【００７２】
また、この読取判定処理を実行するに当たって、本実施形態では、画像データの取込条件として、発光手段としての光源３５から照射する光の色（Ｒ，Ｇ，Ｂ）毎に、イメージセンサ３１から画像データを読み取る読取範囲（換言すれば受光ユニット３２）が予め設定されている。
【００７３】
そして、この読取範囲は、図７（ａ）に示したように、イメージセンサ３１による全読取領域を、３色の各光源３５毎に、受光ユニット３２単位で３つの領域に分割することにより設定されている。
【００７４】
このため、本実施形態において、一回の読取判定処理でカラー画像の読取判定に用いられる画素数は、イメージセンサ３１の１ライン分の画素数となる。従って、光源３５から照射される光の色（Ｒ，Ｇ，Ｂ）毎に、イメージセンサ３１から全画像データを取り込むようにした場合（この場合、３ライン分の画素数となる）に比べて、読取判定処理の処理負荷を軽減することができ、その処理時間を短縮することができる。
＜変形例１＞
ここで、本実施形態では、読取判定処理において、３色の光源３５の一つを点灯させて、その光源３５の色に対応した読取範囲内の白レベル平均値を算出する処理（Ｓ１１０〜Ｓ１４０）を実行する度に、黒レベル平均値を各画素毎に算出して（Ｓ１５０〜Ｓ１８０）、読取範囲内の受光ユニット３２及び光源３５が正常動作しているか否かを判定（Ｓ１９０〜Ｓ２１０）するものとして説明した。
【００７５】
しかし、図８に示すように、Ｓ１１０〜Ｓ１４０の一連の処理を実行した後、Ｓ２３５にて、この一連の処理を３色の光源３５の全てに対して行ったか否かを判断し、全ての光源３５に対して行っていなければ（Ｓ２３５：Ｎｏ）、Ｓ１１０に移行して、まだ点灯していない緑（Ｇ）又は青（Ｂ）の光源３５を点灯させることで、各光源３５毎に白レベル平均値を算出し、その後、黒レベル平均値を算出する（Ｓ１５０〜Ｓ１８０）ようにしてもよい。
【００７６】
また、この場合、Ｓ１８０にて黒レベル平均値を算出した後は、Ｓ１９５にて、各光源・各画素毎に、白レベル平均値と黒レベル平均値との差を算出して、その差からＮＧ画素を抽出し、Ｓ２０５にて、各光源毎に、ＮＧ画素が連続する最大画素数を算出して、Ｓ２１０では、その算出した最大画素数の一つでも受光ユニット３２の１個分の画素数以上であるか否かを判断するようにすればよい。
【００７７】
つまり、このようにしても、上記と同様に、読取ヘッド１１内のイメージセンサ３１及び光源３５が全て正常に動作していて、カラー画像を正常に読み取ることができるか否かを判断することができる。
＜変形例２＞
また、本実施形態では、読取判定処理実行時に光源３５の色（Ｒ，Ｇ，Ｂ）毎にイメージセンサ３１から画像データを読み取る際の読取範囲には、図７（ａ）に示したように、隣接する複数の受光ユニット３２による読取領域を設定するものとして説明したが、この読取範囲は、例えば、図７（ｂ）に示すように分散するように設定してもよい。
【００７８】
つまり、図７（ｂ）に示す読取範囲は、赤（Ｒ）の光源３５の点灯時には、ＣＨ１、４、７、１０の受光ユニット３２から画像データを取り込み、緑（Ｇ）の光源３５の点灯時には、ＣＨ２、５、８、１１の受光ユニット３２から画像データを取り込み、青（Ｂ）の光源３５の点灯時には、ＣＨ３、６、９、１２の受光ユニット３２から画像データを取り込むように設定されている。このようにしても、読取ヘッド１１によるカラー画像の読取判定は、上記と同様に実行できる。
【００７９】
ところで、上記実施形態では、読取判定処理実行時に光源３５の色（Ｒ，Ｇ，Ｂ）毎にイメージセンサ３１から画像データを読み取る際の読取範囲は、イメージセンサ３１の全読取領域で重複することのないように設定されるものとしている。
【００８０】
しかし、このようにすると、読取ヘッド１１を介してカラー画像を正常に読み取ることができるか否かを判定することはできても、カラー画像を正常に読み取ることができない場合に、その原因がイメージセンサ３１にあるのか、光源３５にあるのかを判定して、その判定結果を使用者に通知することはできない。
【００８１】
そこで、このように異常原因を特定できるようにするには、読取判定処理実行時の画像データの読取範囲の一部を、各光源３５の色（Ｒ，Ｇ，Ｂ）で重複させ、その重複させた読取範囲で、各光源共に得られる画像データに異常が生じているか否かを判断することにより、光源３５に異常があるか否かを判断するようにするとよい。
【００８２】
以下、このように異常原因を特定できるようにした読取判定処理について、本発明の第２実施形態〜第４実施形態として説明する。なお、これら各実施形態において、装置構成は全て第１実施形態のものと同じで、ＣＰＵ６１にて実行される読取判定処理のみが異なるものとする。
［第２実施形態］
本実施形態では、画像データの取込条件が、図９に示すように、赤（Ｒ）の光源３５の点灯時には、ＣＨ１〜ＣＨ５の受光ユニット３２から画像データを取り込み、緑（Ｇ）の光源３５の点灯時には、ＣＨ５〜ＣＨ９の受光ユニット３２から画像データを取り込み、青（Ｂ）の光源３５の点灯時には、ＣＨ９〜１２とＣＨ１の受光ユニット３２から画像データを取り込む、ように設定されている。
【００８３】
そして、読取判定処理では、図１０に示すように、図８に示した読取判定処理と同様の手順で、各色（Ｒ，Ｇ，Ｂ）の光源３５を順次点灯させて、上記読取範囲内の各受光ユニット３２から画像データを読み取り、白レベル平均値を算出し（Ｓ１１０〜Ｓ１４０）、その後、黒レベル平均値を算出する（Ｓ１５０〜Ｓ１８０）。
【００８４】
また、Ｓ１９５にて、各光源・各画素毎にＮＧ画素を抽出し、Ｓ２０５にて、各光源毎にＮＧ画素が連続する最大画素数を算出し、Ｓ２１０にて、その算出した最大画素数から読取ヘッド１１に異常があるか否かを判定し、読取ヘッド１１に異常がなければ（Ｓ２１０：Ｎｏ）、Ｓ２４０に移行して、画像読取を開始する。
【００８５】
一方、読取ヘッド１１に異常があれば（Ｓ２１０：Ｙｅｓ）、Ｓ２５０に移行して、Ｓ１９５にて抽出されたＮＧ画素から、各光源３５毎に、ＮＧ画素が連続している異常な受光ユニット３２を特定し、Ｓ２６０に移行する。
【００８６】
Ｓ２６０では、その特定した異常受光ユニット３２に、光源３５の色（Ｒ，Ｇ，Ｂ）で重複する読取範囲として設定されているＣＨ１、ＣＨ５、ＣＨ９の受光ユニット３２が含まれているか否かを判定する。
【００８７】
そして、異常受光ユニット３２にＣＨ１、ＣＨ５、ＣＨ９の受光ユニット３２が含まれていなければ（Ｓ２６０：Ｎｏ）、受光ユニット自体が異常であると判定し（Ｓ２８５）、Ｓ２２０に移行して、使用者に対して異常受光ユニットを通知した後、当該処理を終了する。逆に、異常受光ユニット３２がＣＨ１、ＣＨ５、ＣＨ９の受光ユニットが含まれていれば（Ｓ２６０：Ｙｅｓ）、Ｓ２７０に移行する。
【００８８】
Ｓ２７０では、ＣＨ１、ＣＨ５、ＣＨ９の異常受光ユニット３２が、各光源３５の点灯時にそれぞれＮＧ画素が連続する異常状態になっているのか、或いは、一方の光源３５の点灯時にのみ異常状態になっているのかを判断する。
【００８９】
そして、各光源３５の点灯時に異常状態になっていれば（Ｓ２７０：Ｙｅｓ）、各光源３５が異常になる可能性が低いことから、受光ユニット自体が異常であるとみなし（Ｓ２８５）、Ｓ２２０に移行して異常受光ユニットを通知した後、当該処理を終了する。また逆に、一方の光源３５の点灯時にのみ異常状態になっていれば（Ｓ２７０：Ｎｏ）、その異常状態になったときに点灯している光源３５に異常があると判断して（Ｓ２８０）、Ｓ２２０に移行し、使用者に対して光源３５の異常を通知した後、当該処理を終了する。
【００９０】
このように、本実施形態では、イメージセンサ３１から画像データを読み取る際の読取範囲の一部（ＣＨ１、ＣＨ５、ＣＨ９の受光ユニット３２）が、光源３５の各色（Ｒ，Ｇ，Ｂ）で重複するように設定している。
【００９１】
このため、本実施形態によれば、読取ヘッド１１によるカラー画像の読取異常だけでなく、その異常原因が光源３５にあるのか、イメージセンサ３１にあるのかを特定して、使用者に通知することができる。
［第３実施形態］
本実施形態では、画像データの取込条件が、図１１（ａ）に示すように、赤（Ｒ）の光源３５の点灯時には、ＣＨ１〜ＣＨ１２の全ての受光ユニット３２から画像データを取り込み、緑（Ｇ）及び青（Ｂ）の光源３５の点灯時には、赤（Ｒ）の光源３５の点灯時に画像データを正常に読み取ることができた受光ユニット３２（図ではＣＨ４の受光ユニット）から画像データを取り込む、ように設定されている。
【００９２】
また、この取込条件は、赤（Ｒ）の光源３５の点灯時に全ての受光ユニット３２から画像データを正常に読み取ることができなかった場合には、図１１（ｂ）に示すように、任意の受光ユニット３２（図ではＣＨ４の受光ユニット）から画像データを取り込むように設定されている。
【００９３】
そして、読取判定処理では、図１２に示すように、まずＳ３１０にて、図６に示したＳ１１０〜Ｓ１９０と同様の手順で、赤（Ｒ）の光源３５を点灯・消灯させて、全受光ユニット３２から画像データを読み取り、白レベル平均値及び黒レベル平均値を算出して、ＮＧ画素を抽出する。
【００９４】
次に、Ｓ３２０では、図６に示したＳ２００及びＳ２１０と同様の手順で、異常受光ユニットがあるか否かを判断し、異常受光ユニットがなければ（Ｓ３２０：Ｎｏ）、Ｓ３３０にて、受光ユニット３２は全て正常である旨を記憶した後、Ｓ３４０に移行する。
【００９５】
一方、Ｓ３２０にて、異常受光ユニットがあると判断されると（Ｓ３２０：Ｙｅｓ）、Ｓ３５０に移行して、ＮＧ画素が連続する全ての異常受光ユニットを検出し、その検出結果を記憶する。
【００９６】
そして、続くＳ３６０では、イメージセンサ３１を構成している全ての受光ユニット３２が異常であるか否かを判断し、全ての受光ユニット３２が異常であれば（Ｓ３６０：Ｙｅｓ）、Ｓ４１０に移行し、そうでなければ（Ｓ３６０：Ｎｏ）、Ｓ３４０に移行する。
【００９７】
Ｓ３４０では、正常受光ユニット３２の一つ（図１１（ａ）ではＣＨ４の受光ユニット３２）を、緑（Ｇ）、青（Ｂ）の光源３５での読取範囲として設定する。
そして、続くＳ３７０では、緑（Ｇ）の光源３５を点灯・消灯させて、Ｓ３４０で読取範囲として設定された一つの受光ユニット３２から画像データを読み取り、白レベル平均値及び黒レベル平均値を算出して、ＮＧ画素を抽出し、Ｓ３８０に移行する。
【００９８】
Ｓ３８０では、青（Ｂ）の光源３５を点灯・消灯させて、Ｓ３４０で読取範囲として設定された一つの受光ユニット３２から画像データを読み取り、白レベル平均値及び黒レベル平均値を算出して、ＮＧ画素を抽出し、Ｓ３９０に移行する。
【００９９】
Ｓ３９０では、緑（Ｇ）又は青（Ｂ）の光源３５を点灯させて求めたＮＧ画素は、読取範囲として設定された受光ユニット３２の全画素分であるか否かを判断する。そして、緑（Ｇ）又は青（Ｂ）の光源３５を点灯させた際に、受光ユニット３２の全ての画素がＮＧ画素となっていれば（Ｓ３９０：Ｙｅｓ）、光源３５に異常があるので、Ｓ４００に移行して、その旨（光源異常）を記憶した後、Ｓ４６０に移行する。逆に、緑（Ｇ）又は青（Ｂ）の光源３５を点灯させた際に、受光ユニット３２の全ての画素がＮＧ画素となっていなければ（Ｓ３９０：Ｎｏ）、そのままＳ４６０に移行する。
【０１００】
一方、Ｓ４１０では、異常受光ユニット３２の一つ（図１１（ｂ）ではＣＨ４の受光ユニット３２）を、緑（Ｇ）、青（Ｂ）の光源３５での読取範囲として設定する。
そして、続くＳ４２０では、緑（Ｇ）の光源３５を点灯・消灯させて、Ｓ４１０で読取範囲として設定された一つの受光ユニット３２から画像データを読み取り、白レベル平均値及び黒レベル平均値を算出して、ＮＧ画素を抽出し、Ｓ４３０に移行する。
【０１０１】
Ｓ４３０では、青（Ｂ）の光源３５を点灯・消灯させて、Ｓ４１０で読取範囲として設定された一つの受光ユニット３２から画像データを読み取り、白レベル平均値及び黒レベル平均値を算出して、ＮＧ画素を抽出し、Ｓ４４０に移行する。
【０１０２】
Ｓ４４０では、緑（Ｇ）及び青（Ｂ）の光源３５を点灯させて求めたＮＧ画素は、各色共に、読取範囲として設定された受光ユニット３２の全画素分であるか否かを判断する。
そして、緑（Ｇ）及び青（Ｂ）の光源３５を点灯させた際に、受光ユニット３２の全ての画素がＮＧ画素となっていなければ（つまり、少なくとも一方の色の光源３５で画像データを正常に読み込むことができていれば）（Ｓ４４０：Ｎｏ）、Ｓ４００に移行する。
【０１０３】
また、逆に、緑（Ｇ）及び青（Ｂ）の光源３５を点灯させた際に、受光ユニット３２の全ての画素がＮＧ画素となっていれば（つまり、両方の色の光源３５で全画素ＮＧであれば）（Ｓ４４０：Ｙｅｓ）、Ｓ４５０に移行して、各光源３５が異常になる可能性が低いことから、受光ユニット３２（換言すればイメージセンサ３１）に異常があるとみなし、その旨を記憶し（Ｓ４５０）、Ｓ４６０に移行する。
【０１０４】
次に、Ｓ４６０では、上記Ｓ３１０〜Ｓ４５０の一連の処理によって読取ヘッド１１によるカラー画像の読み取りに異常があると判定されたか否かを判断し、読取ヘッド１１の異常が判定されていなければ（Ｓ４６０：Ｎｏ）、Ｓ４７０にて画像読取を開始した後、当該処理を終了し、読取ヘッド１１の異常が判定されていれば（Ｓ４６０：Ｙｅｓ）、Ｓ４８０にて使用者にエラーを通知した後、当該処理を終了する。
【０１０５】
なお、Ｓ３１０〜Ｓ４５０の一連の処理では、受光ユニット３２の異常、イメージセンサ３１全体の異常、或いは光源３５の異常が個々に判定されることから、Ｓ４８０では、その判定結果に基づき、読取ヘッド１１による画像読取の異常だけでなく、その異常箇所も使用者に通知する。
【０１０６】
そして、このように、本実施形態によれば、読取ヘッド１１による画像読取の異常だけでなく、その異常箇所を特定して、使用者に通知することができることから、使用者は、画像読取装置５の修理（部品交換等）を容易に行うことができる。
［第４実施形態］
本実施形態では、図１３に示すように、画像データの取込条件は、図７（ａ）に示した第１実施形態の取込条件と同様に設定されている。
【０１０７】
そして、読取判定処理では、各色（Ｒ，Ｇ，Ｂ）の光源３５毎に、画像データの読み取りの異常判定を行い、画像データの読取範囲全域で異常が判定されると、次の光源３５の点灯時に、その読取範囲内の一つの受光ユニット３２からも画像データを読み取り、その読み取った画像データに基づき、異常原因が光源３５であるのか受光ユニット３２であるのかを判断する。
【０１０８】
すなわち、本実施形態の読取判定処理では、図１４に示すように、まずＳ５１０にて、３色の光源３５のうちの一つ（例えば赤（Ｒ）の光源３５）を選択する。なお、このＳ５１０の処理は、処理が実行される度に、選択する光源３５を、赤（Ｒ）、緑（Ｇ）、青（Ｂ）、赤（Ｒ）と順に変更するように設定されている。
【０１０９】
次に、Ｓ５２０では、図６に示したＳ１２０〜Ｓ１９０と同様の手順で、Ｓ５１０で選択された光源３５を点灯・消灯させて、全受光ユニット３２から画像データを読み取り、白レベル平均値及び黒レベル平均値を算出して、ＮＧ画素を抽出する。そして、続くＳ５３０では、画像の読取領域全域でＮＧ画素となる全ての異常受光ユニットを検出し、その検出結果を記憶する。
【０１１０】
次に、Ｓ５４０では、現在、Ｓ５２０にて、３色（Ｒ，Ｇ，Ｂ）の光源３５を点灯した後に赤（Ｒ）の光源３５を追加点灯された後（後述する追加点灯時）であるか否かを判断する。そして、現在、光源３５の追加点灯時であれば（Ｓ５４０：Ｙｅｓ）、Ｓ６００に移行し、逆に、追加点灯時でなければ（Ｓ５４０：Ｎｏ）、Ｓ５５０に移行する。
【０１１１】
Ｓ５５０では、現在、Ｓ５２０にて、３色（Ｒ，Ｇ，Ｂ）の全光源３５の最後の光源３５が点灯された後（全光源点灯終了時）であるか否かを判断する。そして、現在、全光源点灯終了時であれば（Ｓ５５０：Ｙｅｓ）、Ｓ５８０に移行し、逆に、全光源点灯終了時でなければ（Ｓ５５０：Ｎｏ）、Ｓ５６０に移行する。
【０１１２】
Ｓ５６０では、上記Ｓ５１０〜Ｓ５３０の一連の処理によって、今回点灯した光源３５に対して設定されている読取範囲内の受光ユニット３２が全て異常受光ユニットして検出されたか否かを判断する。
【０１１３】
そして、読取範囲内の全受光ユニット３２が異常受光ユニットとして検出されていれば（Ｓ５６０：Ｙｅｓ）、Ｓ５７０に移行して、その異常受光ユニットの一つを、次に点灯する光源３５の読取範囲として追加した後、Ｓ５１０に移行し、そうでなければ（Ｓ５６０：Ｎｏ）、そのまま５１０に移行する。
【０１１４】
次に、Ｓ５８０では、Ｓ５６０と同様に、上記Ｓ５１０〜Ｓ５３０の一連の処理によって、今回点灯した光源３５に対して設定されている読取範囲内の受光ユニット３２が全て異常受光ユニットして検出されたか否かを判断する。
【０１１５】
そして、読取範囲内の全受光ユニット３２が異常受光ユニットとして検出されていれば（Ｓ５８０：Ｙｅｓ）、Ｓ５９０に移行して、その異常受光ユニットの一つを、次に追加点灯する赤（Ｒ）の光源３５の読取範囲として追加した後、Ｓ５１０に移行し、そうでなければ（Ｓ５８０：Ｎｏ）、Ｓ６００に移行する。
【０１１６】
次に、Ｓ６００では、上記Ｓ５１０〜Ｓ５９０の一連の処理によって、異常受光ユニットとして検出された受光ユニット３２があるか否かを判断する。そして、異常受光ユニットがなければ（Ｓ６００：Ｎｏ）、Ｓ６１０にて画像読取を開始した後、当該処理を終了し、逆に、異常受光ユニットがあれば（Ｓ６００：Ｙｅｓ）、Ｓ６２０に移行する。
【０１１７】
Ｓ６２０では、Ｓ５７０若しくはＳ５９０の処理によって読取範囲を追加した領域の異常受光ユニットは、その読取範囲を追加した色の光源３５でも異常受光ユニットとして検出されているか否かを判断することにより、その異常受光ユニットが読取範囲として初期設定されている色の光源３５は、正常であるか否かを判断する。
【０１１８】
そして、続くＳ６３０では、エラーメッセージにより、Ｓ５３０にて異常受光ユニットとして検出された受光ユニット３２、及び、Ｓ６２０にて異常であると判定した色の光源３５を通知する、エラー通知処理を行い、当該読取判定処理を終了する。
【０１１９】
従って、本実施形態によれば、読取ヘッド１１による画像読取の異常だけでなく、その異常箇所を特定して、使用者に通知することができることから、使用者は、画像読取装置５の修理（部品交換等）を容易に行うことができる。
【０１２０】
また、本実施形態によれば、読取ヘッド１１による画像読取が正常に行われていれば、画像データの読取範囲が、第１実施形態のものと同様の初期値から追加されることがないため、読取判定処理を短時間で行い、ファクシミリ送信のための画像読取を開始することが可能となる。
［他の実施形態］
以上、本発明の実施形態について説明したが、本発明は上記実施形態に限定されるものではなく、本発明の要旨を逸脱しない範囲内にて種々の態様をとることができる。
【０１２１】
例えば、上記実施形態の説明では、イメージセンサ３１が１２個の受光ユニット３２にて構成されているものとして説明したが、本発明は、イメージセンサ３１が複数の受光ユニットにて構成されていれば、その数が偶数個であっても奇数個であっても、上記各実施形態と同様に適用して、同様の効果を得ることができる。
【０１２２】
また、上記実施形態では、ＦＢおよびＡＤＦを備えた画像読取装置５を例示したが、ＦＢまたはＡＤＦのいずれか一方を備えた画像読取装置であっても、本発明の構成を採用することもできる。
【０１２３】
また、上記実施形態では、読取ヘッド１１は、ＣＩＳ方式のものであるとして説明したが、本発明は、光学系にミラーが設けられたＣＣＤ方式のものであっても、上記実施形態と同様に適用して、同様の効果を得ることができる。
【図面の簡単な説明】
【０１２４】
【図１】第１実施形態の複合機全体の構成を表す斜視図である。
【図２】複合機に設けられた画像読取装置の構成を表す断面図である。
【図３】図２中の矢印Ａ方向から見た読取ヘッドとその周辺を表す断面図である。
【図４】複合機の制御系全体の構成を表すブロック図である。
【図５】イメージセンサの構成を表す説明図である。
【図６】ＣＰＵにて実行される読取判定処理を表すフローチャートである。
【図７】図６の読取判定処理に対応した画像データの取込条件及びその変形例を表す説明図である。
【図８】図６の読取判定処理の変形例を表すフローチャートである。
【図９】第２実施形態の画像データの取込条件を表す説明図である。
【図１０】第２実施形態の読取判定処理を表すフローチャートである。
【図１１】第３実施形態の画像データの取込条件を表す説明図である。
【図１２】第３実施形態の読取判定処理を表すフローチャートである。
【図１３】第４実施形態の画像データの取込条件を表す説明図である。
【図１４】第４実施形態の読取判定処理を表すフローチャートである。
【符号の説明】
【０１２５】
１…複合機、１ａ…下側本体、１ｂ…上側本体、３…画像形成装置、５…画像読取装置、５ａ…フラットベッド部、５ｂ…カバー部、７…操作パネル、１１…読取ヘッド、１３…第１プラテンガラス、１５…第２プラテンガラス、１７…白板、２１…原稿供給トレイ、２３…原稿搬送装置、２５…原稿排出トレイ、２７…ステップモータ、３１…イメージセンサ、３２…受光ユニット、３３…光学素子群、３５…光源、３７…軸受、３９…コロ、４１…ガイドバー、４３…ガイド面、４５…ガイド部、５１…給紙トレイ、５３…排紙口、５５…排紙トレイ、６０…制御装置、６１…ＣＰＵ、６２…ＲＯＭ、６３…ＲＡＭ、６４…ＡＳＩＣ、６５…モデム、６６…パネルインターフェイス、６７…パラレルインターフェイス、６８…ＵＳＢインターフェイス、６９…ＮＣＵ。
【図１】
2008124997.tif 000003
【図２】
2008124997.tif 000004
【図３】
2008124997.tif 000005
【図４】
2008124997.tif 000006
【図５】
2008124997.tif 000007
【図６】
2008124997.tif 000008
【図７】
2008124997.tif 000009
【図８】
2008124997.tif 000010
【図９】
2008124997.tif 000011
【図１０】
2008124997.tif 000012
【図１１】
2008124997.tif 000013
【図１２】
2008124997.tif 000014
【図１３】
2008124997.tif 000015
【図１４】
2008124997.tif 000016